(57)【特許請求の範囲】
【請求項１】
コインを遊技媒体として作動する遊技機に用いられるコインを多数収容可能なバケットと、
該バケットの底部に設けられた回転円板と、
該バケット内のコインが入る大きさに形成され、該回転円板の円周方向に並んで配置された複数の開口と、
前記回転円板を回転駆動する駆動手段と、
前記バケットから前記開口内に入ったコインを受けるコイン受け板と、
前記回転円板の裏面に一体となって回転するように設けられ、該コイン受け板で受けたコインを該回転円板の回転により中心から離れる方向に案内するコイン送出ガイド板と、
該コイン送出ガイド板に案内されたコインを排出するコイン排出手段とを備え、
前記コイン送出ガイド板は、前記開口内に入ったコインの一部を載せることにより前記回転円板の中心から離れる方向に下り傾斜させて前記回転円板の中心から離れる方向に移動させる張出部を有することを特徴とする遊技機用コイン払出装置。
【請求項２】
請求項１記載の遊技機用コイン払出装置において、
前記コイン送出ガイド板は前記回転円板の開口に対応した数の案内爪を備えた爪車状に形成され、
各案内爪は湾曲した形状を有し、その湾曲部の内側縁は前記回転円板の開口の形状に合わせたコイン保持案内面として形成され、
該コイン保持案内面から次の案内爪の外側縁に続く側縁部が前記張出部として形成されていることを特徴とする遊技機用コイン払出装置。
【請求項３】
請求項１又は２記載の遊技機用コイン払出装置において、
前記回転円板の開口は該円板の半径方向に長い略楕円形であり、
各開口内には、前記略楕円形の長軸に対して傾斜した辺を有する斜辺部が設けられていることを特徴とする遊技機用コイン払出装置。
【発明の詳細な説明】
【０００１】
【発明の属する技術分野】
本発明は、コイン、メダル或いはトークン等（本発明では、これらをまとめてコインと称する）の遊技媒体を使用して遊技を行うスロットマシン等の遊技機に用いられるコイン払出装置に関する。
【０００２】
【従来の技術】
遊技機用コイン払出装置は、一般に、コインを無配列に多数収容するバケットと、コインを一枚ずつ同一面に揃えてバケットから送出するコイン送出部と、これらバケット及びコイン送出部を支持する基台とを備えて構成されている。
【０００３】
図１１は、公知のコイン払出装置の一例として、特開平７−１１４６５８号公報に開示されたホッパー装置の本体部１を示す。図示しない基台上に搭載された支持板２の上面には、モータ（図示省略）で駆動される回転円板３が回転自在に設置されている。回転円板３は合成樹脂で形成され、その周方向には、コインＣの直径よりも少し大きい円形開口４が、適当な個数（５〜１０個程度）所定のピッチで並んで形成されている。
【０００４】
回転円板３の裏面には、コイン送出ガイド板５が一体となって回転するように固定されている。このコイン送出ガイド板５は爪車状に形成され、回転円板３の円形開口４と同じ数のガイド爪５ａを有する。図のように、円形開口４内に入って支持板２上に支持されたコインＣはガイド爪５ａに保持され、回転円板３の回転によって移動しながら回転円板３の中心から離れる方向に付勢される。
【０００５】
回転円板３は、支持板２の上に治具等を用いて組み付けられるが、回転円板３と支持板２との間には、コインを一枚ずつ排出できるように一定の間隙を保持することが必要である。
【０００６】
更に、支持板２上には、コインＣよりわずかに厚い外側ガイド板６が取り付けられ、その上をカバー（図示省略）で被われる。外側ガイド板６は矩形の金属板から成り、その中央部に、径が回転円板３より小さく且つ送出ガイド板５の外径（ガイド爪５ａの先端が位置する円の直径）よりも大きい円形の開口７を有する。この開口７の周縁は、コイン案内面８として形成されている。
【０００７】
図１１において、支持板２上の外側ガイド板６の左側部には、コインが１枚ずつ通過できる幅を持つコイン排出口９が形成され、この排出口９の両側に固定ローラ１０と可動ローラ１１が配置されて、コイン排出口９に臨む位置に来たコインを排出口９から排出するコイン排出部を構成している。
【０００８】
更に、円形の開口７内においてコイン排出口９へ向かう位置に、支持板２の取付孔から突出して回転円板３の裏面に接するようにバネで付勢されたボール（球）を支持した案内突部１２が設けられている。この案内突部１２は、コイン排出口９に臨む位置に来たコインＣをボールで受け止め、コイン排出口９へ向けて案内する機能を有する。
【０００９】
【発明が解決しようとする課題】
上記のようなコイン払出装置では、回転円板３と支持板２との間の間隙のばらつきをなくし、間隙を一定に保持するため、組立時に治具等を用いて間隙を調整している。しかしながら、コイン払出装置の製造コストや量産の観点から、回転円板３は合成樹脂等の可撓性材料で形成されているので、回転円板３上に多数コインがあって負荷が大きくなったときには、回転円板３に歪みが発生し、間隙が変化する。このため、コインが回転円板３の下側、特にコイン送出ガイド板５と支持板２との間に潜り込むことでコインの噛み込み等のトラブルが生じやすいという問題点があった。
【００１０】
更に、コインが２枚重ねで開口７に入ったり、或いは何らかの理由により回転円板３が回転しているにもかかわらずコインがコイン案内面８側へ移動しなかった場合、そのコインはコイン排出口９へ向かわず、コイン排出口９に臨む位置を通過して再び回転円板３と共に移動してしまう（つまり、コインは排出されない）ことになる。そこで、これを防止する手段として、上記のようにコイン排出口９に臨む位置に来たコインを受け止めてコイン排出口９へ向かわせる案内突部１２が設けられるが、そのためにボールやスプリングその他の部品が必要となり、構造も複雑になるという問題もあった。
【００１１】
従って、本発明の目的は、コイン払出時におけるコインの噛み込み等のトラブルの発生を防止すると共に、そのための構成も従来より簡単にできる遊技機用コイン払出装置を提供することである。
【００１２】
【課題を解決するための手段】
本発明の遊技機用コイン払出装置は、コインを遊技媒体として作動する遊技機に用いられるコインを多数収容可能なバケットと、該バケットの底部に設けられた回転円板と、バケット内のコインが入る大きさに形成され、該回転円板の円周方向に並んで配置された複数の開口と、回転円板を回転駆動する駆動手段と、回転円板の裏面側に一体となって回転するように設けられ、バケットから上記開口内に入ったコインを受けるコイン受け板と、前記回転円板とコイン受け板との間に一体となって回転するように設けられ、回転円板の裏面に一体となって回転するように設けられ、コイン受け板で受けたコインを回転円板の回転により中心から離れる方向に案内するコイン送出ガイド板と、該コイン送出ガイド板に案内されたコインを排出するコイン排出手段とを備え、上記コイン送出ガイド板は、回転円板の開口に対応した数の案内爪を備えた爪車状に形成され、各案内爪は湾曲した形状を有し、その湾曲部の内側縁は回転円板の開口の形状に合わせたコイン保持案内面として形成され、該コイン保持案内面から次の案内爪の外側縁に続く側縁部は、上記開口内に入ったコインを傾斜させて回転円板の中心から離れる方向に移動させる張出部として形成されている。
【００１３】
本発明では、回転円板とコイン受け板との間に回転円板と一体となって回転するように設けられたコイン送出ガイド板が、回転円板の全ての開口内でコインを傾斜させる張出部を有することに特徴がある。
【００１４】
本発明の実施態様では、回転円板の開口は、該円板の半径方向に長い略楕円形とし、各開口内には略楕円形の長軸に対して傾斜した辺を有する斜辺部が設けられる。
【００１５】
【作用及び効果】
本発明によれば、回転円板が回転駆動される時、これとコイン受け板が一体になって回転する。回転円板が回転すると、その開口内にバケット内のコインが入る。開口内に入ったコインは、コイン受け板に受け止められ、回転円板と共に回転するコイン送出ガイド板により、回転円板の中心から離れる方向に付勢されながら回転円板の回転方向に移動する。この時、コインは、回転円板の開口に対応してコイン送出ガイド板に設けられた張出部により、回転円板の中心から離れる方向に傾斜させられているので、コイン排出手段の位置或いはその近くまで来た時、回転円板から離れ、コイン排出手段にて排出される。
【００１６】
かくして、コイン送出ガイド板は、回転円板の裏面側に一定の（例えば、コインの厚さにほぼ等しい）間隙を保持しながら、各開口内にあるコインを同じ開口内にある張出部で傾斜させた状態で、回転円板と一体に回転し、傾斜したコインをコイン排出手段の位置或いはその近くで確実に回転円板から離れる方向に移動させる。加えて、コイン送出ガイド板の下側にコイン受け板が一体となって回転するように設けられているので、回転円板の開口内に入ったコインは、回転円板の下で挟まったり噛み込んだりすることなく、円滑に排出される。
【００１７】
また、前掲の公知技術のように、コイン排出口に臨む位置に来たコインを受け止めてコイン排出口へ向かわせる案内突部のような手段は不要であるから、装置の構造も簡潔になる。
【００１８】
上記のように回転円板の全ての開口内に位置する張出部は、コイン送出ガイド板の各案内爪の湾曲部の内側縁に形成したコイン保持案内面から次の案内爪の外側縁に続く側縁部に形成されているので、回転円板のどの開口内に入ったコインでもその一部が張出部に載って傾斜することにより、どのコインも回転円板の中心から離れる方向に円滑に移動することができる。このため、コインの噛み込み等の発生が従来のものより大幅に低減される。
【００１９】
また、回転円板に設けられた開口の形状に関して、一般的には図１１に示したようにコインより大きい円形でよいが、ホッパーから各開口上に多数のコインが積み重なったときには、開口内にコインが入りにくく、或いは開口内に入ったコインが立ってしまい、回転する円板に対するコインの噛み込みが生じることがある。しかし、開口を真円ではなく、回転円板の半径方向に長い略楕円状に形成し、更に各開口内に略楕円形の長軸に対して傾斜した辺を有する斜辺部を設けることにより、回転する円板上に位置したコインが開口内に入りやすくなると共に、開口内に入ったコインが上記斜辺部に当たることで開口に対し必ず傾斜した状態になるので、従来の開口内でコインが立った状態で噛み込むという不具合の発生を防止できる。
【００２０】
【発明の実施の形態】
図１は、本発明の実施例のコイン払出装置２０の外観図である。このコイン払出装置２０は、基台２２、回転円板２４及びカバー２６を含む本体部２８と、カバー２６上に設置されて多数のコインＣを収容するバケット３２とで構成されている。バケット３２は、本体部２８のカバー２６に取付ねじ３４で着脱自在に取り付けられる。
【００２１】
図２は、バケット３２を取り外した状態で本体部２８を分解して示す斜視図である。基台２２は、上部が適当な角度（例えば 25 度）をもって斜めに形成された枠体から成り、その上部には、矩形状の金属板からなる基板３６が傾斜して取り付けられる。
【００２２】
基板３６の上面には、コインＣよりわずかに厚い矩形の金属板から成る外側ガイド板３７が取り付けられ、その上をカバー２６が覆う。外側ガイド板３７は、その中央部に、径が回転円板２４より小さく且つ後述のコイン受け板３８及びコイン送出ガイド板４０の外径（ガイド爪５０の先端が位置する円の直径）よりも大きい円形の開口を有する。この開口の周縁は、コイン案内面３７ａとして形成されている。
【００２３】
外側ガイド板３７の左側部には、前述した公知のホッパー装置と同様に、コインが１枚ずつ通過できる幅を持つコイン排出口３７ｂが形成されている。このコイン排出口３７ｂの入口側には、後で説明する位置固定ローラ５４及び位置可変ローラ５６を配置するための切欠き３７ｃ及び３７ｄが形成されている。
【００２４】
回転円板２４の下側すなわち裏面側には、後述のようにバケット３２から回転円板２４の開口４６内に入ったコインを受ける円環状のコイン受け板３８が、これと回転円板２４との間に爪車状のコイン送出ガイド板４０を介在させて、回転円板２４と一体に回転するように装着される。
【００２５】
このコイン受け板３８は、図８に示すようにドーナツ形状の金属板から成り、その中央開口の周縁には、後述のように回転円板２４の裏面に形成された位置決め用の突起部３９（図７）が嵌合する２つの凹部４８が、適当な間隔をとって設けられている。また、後述のコイン送出ガイド板４０の貫通孔４１と対応する位置に、取付ねじ４４をねじ込むためのねじ孔５１が設けられている。
【００２６】
再び図２において、コイン受け板３８と上方の回転円板２４との間には、これらと一体になって回転するコイン送出ガイド板４０が設けられる。このコイン送出ガイド板４０は、厚さがコインＣの厚みとほぼ同じで、円周方向に複数の爪５０を有し、隣り合う爪５０の間にコイン受け板３８で受けたコインを保持する。回転円板２４の回転時には、それらのコインが回転円板２４の中心から離れる方向に付勢される。
【００２７】
コイン送出ガイド板４０は、図６に示すようにドーナツ形の爪車状に形成された金属板から成り、後述のように回転円板２４に設けられた開口４６に対応した数の案内爪５０と、１つ置きの案内爪５０の根元に相当する位置に取付ねじ４４を挿通するための貫通孔４１とを備えている。また、中央開口の周縁には、コイン受け板３８の凹部４８と同様、回転円板２４の裏面の位置決め用突起部３９が嵌合する２つの凹部４９が設けられている。
【００２８】
このコイン送出ガイド板４０の案内爪５０は、上方から見て反時計方向に湾曲した形状を有し、その湾曲形の内側縁はコイン保持案内面５０ａとして、外側縁はコイン送出案内面５０ｃとして、それぞれ形成されている。コイン保持案内面５０ａは、回転円板２４の開口４６に沿った曲線状に形成されている。ある１つの案内爪５０の湾曲部の内側縁（コイン保持案内面５０ａ）は、反時計方向に延びて、次の案内爪５０の外側縁（コイン送出案内面５０ｃ）に続いているが、各案内爪５０のコイン保持案内面５０ａから次の案内爪５０のコイン送出案内面５０ｃに続く側縁部は、張出部５０ｂとして形成されている。この張出部５０ｂを設けたことにより、図９に示すように回転円板２４の開口４６内に入ったコインＣは、その一部が張出部５０ｂに載って回転円板２４の中心から離れる方向に傾斜させられるので、各開口内で傾斜したコインを、後述のコイン排出位置或いはその近くの位置で回転円板２４の下側から円滑に排出することができる。
【００２９】
回転円板２４には、コインＣより少し大きい略楕円形の開口４６が複数（この場合、８個）設けられると共に、これらの開口４６の近傍には、上記取付ねじ４４を挿通する貫通孔４５が設けられている。図３及び図４に示すように、開口４６は、回転円板２４の円周方向に一定のピッチ（角度間隔）で設けられ、各開口４６内には、略楕円形の長軸に対して一定角度θ（例えば27.5°）傾斜した辺を有する斜辺部４７が形成されている。
【００３０】
この回転円板２４に設けられた略楕円形の開口４６と各開口４６内の斜辺部４７により、回転する円板２４上に位置したコインＣは開口４６内に入りやすく、且つ後述のようにコインの一部が斜辺部４７に載ることで、開口４６に対しコインが必ず傾斜した状態になるので、開口４６内でコインが立った状態で噛み込むという不具合がなくなる。
【００３１】
図２及び図５に示すように、回転円板２４の中央部は下方に突出し、その上方から内側に円形の凹部２４ａを有する。そして、この凹部２４ａの底面から下側に、回転円板２４の中心に位置する縦孔２５ａと、その周りの３つの縦孔２５ｂが設けられている。更に、図５及び図９に示すように、回転円板２４の各開口４６の上部周縁は、上方に向って拡開するテーパ状に形成されており、コインＣが一層入り易くなっている。
【００３２】
回転円板２４の裏面側には、図２に示すスラスト軸受５２を収容する円環状の取付溝２４ｄが形成され、この溝２４ｄ内には、図５及び図９に示す環状凸部２４ｅが形成されている。スラスト軸受５２は、円環状の支持盤５２ａの上面に、その半径方向の軸を中心として回転する多数のローラ５２ｂを一定の角度間隔を置いて配置し、その上に、上記回転円板２４の取付溝２４ｄ内に嵌合する円環状の上盤５２ｃを設置することで構成される。そして、スラスト軸受５２全体が回転円板２４の取付溝２４ｄ内に収納されることにより、スラスト軸受５２は回転円板２４と基板３６との間に配置され、回転円板２４上に位置するバケット３２内のコインの荷重を受ける。このスラスト軸受５２の上盤５２ｃと支持盤５２ａとは、両者の間に介在する多数のローラ５２ｂにより、相互に回転可能であるので、回転円板２４は、バケット３２の底部で円滑に回転することができる。
【００３３】
上記の回転円板２４とコイン送出ガイド板４０とコイン受け板３８とは、組立の際には、図２及び図７に示すように、回転円板２４の開口４６の周縁の一部とコイン送出ガイド板４０のコイン保持案内面５０ａとを位置合せし、且つ回転円板２４の裏面側に設けた２つの位置決め用突起部３９がコイン送出ガイド板４０及びコイン受け板３８の各々の対応する凹部４９及び４８に嵌合するように重ね合わせた後、上方から取付ねじ４４を回転円板２４の貫通孔４５及びコイン送出ガイド板４０の貫通孔４１に通し、コイン受け板３８のねじ孔５１にねじ込むことにより、一体に固定される。
【００３４】
再び図２において、基板３６の下側には、減速機構を備えたモータ４２が取り付けられる。その減速機構の出力軸には、基板３６に形成した軸孔３６ａ内に位置する円柱形のヘッド４３が固定されている。このヘッド４３は、円形の上端面の中心位置に突設した円板固定ピン４３ａと、その周りの３箇所に突設した位置決めピン４３ｂとを有し、円板固定ピン４３ａの上端部は、後述のフランジ付きナット２３を止めるためのネジ部４３ａ’として形成されている。円板固定ピン４３ａは、前述のように回転円板２４の中心縦孔２５ａを上向きに貫通し、ネジ部４３ａ’が上方に突出する長さを有する。また、３本の位置決めピン４３ｂは、回転円板２４の中心縦孔２５ａの周りに設けた３つの縦孔２５ｂにそれぞれ挿入され、図９に示すように、各ピン４３ｂの上端が、回転円板２４の中央部分に形成された凹部２４ａの底面と同じか、これより少し低くなるような長さを有する。
【００３５】
ヘッド４３上に位置した回転円板２４は、その中央部分の凹部２４ａの底に後述の略十字形の弾性板２１を装着し、下方から縦孔２５ａを上向きに貫通して弾性板２１の上方に突出した円板固定ピン４３ａのネジ部４３ａ’にフランジ付きナット２３を嵌めて締め付けることにより、図９に示すようにヘッド４３の円板固定ピン４３ａとナット２３との間に弾性板２１を挟んだ状態で固定される。なお、回転円板２４の凹部２４ａ上には、図２に示す蓋２７が被せられる。
【００３６】
弾性板２１は、図２の一部に拡大して示すように、外側四方に延びた４つの凸部２１ａを有する円環状の金属板から成り、回転円板２４の凹部２４ａ内に装着される際には、図９に示すように、凹部２４ａ内の側壁に形成された受入部２４ｂに４つの凸部２１ａが嵌め込まれる。そして、図９に示すように、回転円板２４の凹部２４ａ内の各受入部２４ｂにおいて、底面より少し高く形成された段部２４ｃに弾性板２１の凸部２１ａが載った状態で、その上に位置するフランジ付きナット２３を締め付けることにより、弾性板２１は、その４つの凸部２１ａが上方に反った形で保持される。
【００３７】
従って、前述のように一体化した回転円板２４とコイン送出ガイド板４０とコイン受け板３８とは、モータ４２を動力とする減速機構によりヘッド４３を介して回転駆動される。この時、コインが載って回転中の円板２４を傾けるような力が作用しても、弾性板２１によって緩衝する（すなわち、弾性板２１が弾性変形してその力を緩和する）ので、回転円板２４を安定して回転させることができる。
【００３８】
基板３６には、上記軸孔３６ａのほか、ゴミ排出用の複数の孔３６ｂ、後述の位置固定ローラ５４と位置可変ローラ５６を基板３６上のコイン排出口３７ｂの両側に配置するための軸孔３６ｃと長孔３６ｄ、及び、後述のように排出されるコインを検出するためのコインセンサ６０及び６１用の検出窓３６ｅ等が形成されている。
【００３９】
また、基板３６の上面において、コイン排出口３７ｂの入口側には、位置固定ローラ５４と位置可変ローラ５６が配置され、コイン排出口３７ｂに臨む位置に来たコインを排出するためのコイン排出部を構成している。
【００４０】
詳細には、位置固定ローラ５４は、基板３６に設けられた軸孔３６ｃを通る軸により、定位置で回転自在に設けられる一方、位置可変ローラ５６は、これを回転自在に支持する軸が基板３６の長孔３６ｄに沿って移動することにより、その位置が変化するように設けられている。この位置可変ローラ５６の周面は、これにコインＣが当たってコイン排出口３７ｂへ勢いよく送り込まれるため、ゴム又は合成樹脂等の弾性体で覆われている。
【００４１】
位置可変ローラ５６の軸は、長孔３６ｄの一端側の排出口閉じ位置と他端側の排出口開放位置との間で変位可能であるが、通常は、図示しないバネによって図３に示された閉じ位置に付勢されている。位置可変ローラ５６は、この閉じ位置では、コイン送出ガイド板４０とコイン受け板３８の外周縁部に近接する。これらの回転に伴い、コイン排出口３７ｂを臨む位置に来たコインＣは、閉じ位置にある位置可変ローラ５６に当接し、この位置可変ローラ５６を図３の上方に変位させる。そして、コインＣは、排出口開放位置に変位した位置可変ローラ５６の回転力により、この位置可変ローラ５６と位置固定ローラ５４との間からコイン排出口３７ｂの出口側へ向けて付勢され、コイン排出口３７ｂの出口から勢いよく排出される。
【００４２】
こうして排出されるコインを検出するため、図２に示すように、２個のコインセンサ６０及び６１がカバー２６の凹部２６ａに配置され、その上に遮光蓋６２が取り付けられる。また、カバー２６及び基板３６には、上記コインセンサ６０，６１に対応する位置に検出窓２６ｂ，３６ｅが形成されている。コインセンサ６０及び６１としては、反射型或いは透過型のフォトセンサが用いられ、排出コインが透過する毎に検出パルスを生成してコントローラ６３に送る。
【００４３】
コントローラ６３は、遊技機全体の動作を制御するもので、マイクロコンピュータから成る。これには、モータ駆動回路（ドライバ）６４を介して前述のモータ４２が接続される。コントローラ６３は、遊技状態に応じた枚数のコイン払い出しを行うため、駆動回路６４に駆動制御信号を送ってモータ４２を駆動し、その回転力によりヘッド４３を介して回転円板２４とコイン送出ガイド板４０とコイン受け板３８とを回転駆動する。これにより、コイン排出口３７ｂからコインが１枚ずつ排出されるが、払い出されたコインはコインセンサ６０及び６１で検出され、その検出信号によってコントローラ６３がコイン払い出し数を計数し、所定の枚数に達した時にモータ４２の駆動を停止する。
【００４４】
次に、上記構成のコイン払出装置２０の動作について説明する。
【００４５】
図１のバケット３２に多量のコインＣが収容されている状態において、遊技状態に応じて所定枚数のコイン払い出しを行うとき、図２のコントローラ６３は、駆動回路６４に駆動制御信号を送ってモータ４２を駆動する。これにより、ヘッド４３を介して、回転円板２４がコイン送出ガイド板４０及びコイン受け板３８と共に、図３において時計方向に回転する。このとき、多量のコインＣにより回転円板２４の軸方向に大きな荷重がかかっても、スラスト軸受５２がこの荷重を支えるので、回転円板２４は円滑に回転する。
【００４６】
図３の上部において、回転円板２４の開口４６に落ち込んだコインＣ1 は、コイン受け板３８に支持される。この時、コインの一部が開口４６内の斜辺部４７に載ることで、コインＣ1 は傾斜した状態になる。一方、図１０に示すように、回転円板２４の下面とコイン受け板３８の上面との間隙は、コイン送出ガイド板４０によってほぼコインＣの１枚分の厚さに保持されている。
【００４７】
上記のように開口４６を通ってコイン受け板３８で受け止められたコインは、回転円板２４の回転に伴って回転円板２４の中心から離れる方向に付勢されながら、外側ガイド板３７の円形開口の周縁で形成されたコイン案内面３７ａに沿って回転円板２４の回転方向に移動する。このため、コインは、図３のコインＣ2 のように開口４６内の斜辺部４７に載っている部分がコイン送出ガイド板４０の張出部５０ｂの上に移行して傾斜した状態となり（図９）、円板２４の回転につれて、コインＣ3 のように張出部５０ｂからも離れて、斜辺部４７と張出部５０ｂと開口４６とで形成された開口部分の下側に入り込み、コインＣ4 のように全体がコイン受け板３８上に載る。更に円板２４の回転に伴って、コインは、Ｃ5 〜Ｃ7 のようにコイン送出ガイド板４０のコイン送出案内面５０ｃに当接しながら移動する。
【００４８】
その後、コインＣは、コイン排出口３７ｂの入口近くで位置固定ローラ５４に当接し、更にコイン送出ガイド板４０のコイン送出案内面５０ｃに押されて位置可変ローラ５６を開方向に変位させる。そして、案内爪５０の先端がコインＣに接する位置で位置可変ローラ５６を乗り越えると、コインＣは、位置可変ローラ５６の回転力によりコイン排出口３７ｂから勢いよく排出される。
【００４９】
上記のようにして排出されたコインが所定の払出し枚数に達すると、コントローラ６３はモータ４２を停止し、コインの排出を止める。
【００５０】
以上の実施例においては、回転円板２４とコイン送出ガイド板４０とコイン受け板３８とが一体化されることにより、コインを受ける回転円板２４等の強度が向上し、回転円板２４上に多量のコインがあっても、回転円板２４は歪むことなく、回転円板２４とコイン受け板３８との間に送出ガイド板４０による一定の間隙に保持して回転する。このため、コインや異物の噛み込みは生じない。
【図面の簡単な説明】
【図１】実施例のコイン払出装置の外観図。
【図２】図１のコイン払出装置の要部の構成を分解して示す斜視図。
【図３】図２のコイン払出装置の一部を破断して見た平面図。
【図４】コイン送出装置の回転円板の平面図。
【図５】図４の回転円板のＶ−Ｖ線断面図。
【図６】図２のコイン送出装置に用いられているコイン送出ガイド板の平面図。
【図７】図４の回転円板の裏面にコイン送出ガイド板を取り付けた状態を示す裏面図。
【図８】コイン受け板の平面図。
【図９】図３において回転円板の開口内にコインが入った状態を示す拡大断面図。
【図１０】図３の回転円板の開口にコインが入っていないときの部分拡大断面図。
【図１１】従来のコイン送出装置の要部を上方から見た平面図。
【符号の説明】
２０…コイン払出装置、２２…基台、２４…回転円板、２６…カバー、３２…バケット、３６…基板、３８…コイン受け板、４０…コイン送出ガイド板、４６…開口、４７…斜辺部、５０…案内爪、５０ａ…コイン保持案内面、５０ｂ…張出部、５０ｃ…コイン送出案内面。
【図１】
0003792766.tif 000002
【図２】
0003792766.tif 000003
【図３】
0003792766.tif 000004
【図４】
0003792766.tif 000005
【図５】
0003792766.tif 000006
【図６】
0003792766.tif 000007
【図７】
0003792766.tif 000008
【図８】
0003792766.tif 000009
【図９】
0003792766.tif 000010
【図１０】
0003792766.tif 000011
【図１１】
0003792766.tif 000012